(57)【要約】【課題】  部品点数の削減を図ることで容易に製造組立することができる。【解決手段】  本体部材２と、本体部材２の長手方向の各端部に、先端部が近接離間するように本体部材２に回動可能に取り付けられる一対の回動部材３，４と、回動部材３，４のそれぞれを、回動部材３，４の先端部が本体部材２の端部に近接するように付勢する付勢部材５，６とを備える。一対の回動部材３，４は、先端部が本体部材２の端部に付勢部材５，６により回動付勢されることによって吊り下げ物を挟み込む。【選択図】  図１
2006115998.tif 000002
【特許請求の範囲】
【請求項１】
本体部材と、
上記本体部材の長手方向の相対する端部に、先端部が近接離間するように上記本体部材に回動可能に取り付けられる一対の回動部材と、
上記回動部材のそれぞれを、上記回動部材の先端部が上記本体部材の端部に近接するように付勢する付勢部材とを備え、
上記一対の回動部材は、上記先端部が上記本体部材の端部に上記付勢部材により回動付勢されることによって吊り下げ物を挟み込むことを特徴とする吊り下げ具。
【請求項２】
上記回動部材の先端部及び／又は本体部材の各端部には、マグネットが設けられていることを特徴とする請求項１記載の吊り下げ具。
【請求項３】
吊り下げ物を吊り下げる吊り下げ部が設けられると共に、周辺に連結部が設けられた板状の複数のハンガー部材と、
本体部材と、上記本体部材の長手方向の相対する端部に、先端部が近接離間するように上記本体部材に回動可能に取り付けられる一対の回動部材と、上記回動部材のそれぞれを、上記回動部材の先端部が上記本体部材の端部に近接するように付勢する付勢部材とからなる複数の吊り下げ具とを備え、
上記吊り下げ具の一方の端部は、一方の回動部材の先端部が上記本体部材の端部に上記付勢部材により回動付勢されることによって、上側のハンガー部材の下辺に設けられた連結部を挟み込み、上記吊り下げ具の他方の端部は、他方の回動部材の先端部が上記本体部材の端部に上記付勢部材により回動付勢されることによって、下側の上記ハンガー部材の上辺に設けられた連結部を挟み込むことを特徴とするハンガー装置。
【請求項４】
径の異なる複数のリング部材と、
本体部材と、上記本体部材の長手方向の相対する端部に、先端部が近接離間するように上記本体部材に回動可能に取り付けられる一対の回動部材と、上記回動部材のそれぞれを、上記回動部材の先端部が上記本体部材の端部に近接するように付勢する付勢部材とからなる複数の吊り下げ具とを備え、
上記吊り下げ具は、一方の端部が一方の回動部材の先端部が上記本体部材の端部に上記付勢部材により回動付勢されることによって上側のリング部材を挟み込み、他方の端部が他方の回動部材の先端部が上記本体部材の端部に上記付勢部材により回動付勢されることによって下側のリング部材を挟み込むことによって上記リング部材同士を連結し、
上記複数のリング部材は、上側から下側に向かって径が小さくなるように上記吊り下げ具によって連結され、
最も上側の最大径のリング部材には、ハンガー部が設けられ、
各リング部材には、上記複数の吊り下げ具が、一方の端部を、一方の回動部材の先端部が上記本体部材の端部に上記付勢部材により回動付勢されることによって挟み込まれており、他方の端部に吊り下げ物を挟み込むことができるようになされたことを特徴とするハンガー装置。
【発明の詳細な説明】
【技術分野】
【０００１】
本発明は、ネクタイ、ハンカチ、ネクタイ、ベルト等の吊り下げ物を吊り下げることができる吊り下げ具及びこれを用いたハンガー装置に関する。
【背景技術】
【０００２】
下記特許文献１に示すような吊り下げ具がある。この吊り下げ具は、先端側に開閉自在な挟み口を有する２個の洗濯バサミ型クリップの後端側を連結手段で連結し、各挟み口が互いに反対側を向くように形成されている。この特許文献１では、物干しハンガーに吊り下げられた洗濯物の下端を洗濯バサミ型クリップの一方の挟み口で挟み、他方の挟み口で更なる洗濯物を吊り下げることが記載されている。
【０００３】
しかしながら、この特許文献１の吊り下げ具は、２個の洗濯バサミ型クリップを連結手段で連結するものであるから、部品点数が多く、製造組立が面倒である。
【０００４】
また、特許文献１の吊り下げ具は、２個の洗濯バサミ型クリップを、具体的には樹脂等で紐又は帯状に形成された連結手段で連結したものである。この連結手段は、各クリップのスプリングに巻かれることによって、各クリップを連結している。したがって、この吊り下げ具は、一方のクリップに対して他方のクリップが自由に移動することができる。このため、この吊り下げ具は、一方のクリップで洗濯物等の小物の端部に挟み込んだ状態で更に他方のクリップで新たな洗濯物等の小物を挟み込むとき、一方のクリップに対して他方のクリップの位置が定まらず、洗濯物等の小物を吊す作業がやりづらい。更に、この吊り下げ具は、収納ケースに複数収納されているとき、連結手段の部分で他の吊り下げ具の連結手段と絡まりやすく、収納ケースより一の吊り下げ具を取り出しにくい。
【０００５】
更に、特許文献１には、吊り下げ具を用いて小物に更なる小物を吊り下げることが記載されているが、場合によっては、ハンガーに対して更なるハンガーを吊り下げ、空間を効率的に使用して小物を吊り下げたいことがある。物干し場、クロゼットといった空間は、限られた、すなわち狭い場所が多いからである。しかしながら、このような考え方は、引用文献１には示唆されていない。
【０００６】
【特許文献１】実開平５−９４８４号公報
【発明の開示】
【発明が解決しようとする課題】
【０００７】
本発明は、以上のような問題点に鑑みてなされたものであり、部品点数の削減を図ることで容易に製造組立することができると共に、吊り下げ作業を容易に行うことができる吊り下げ具及びこれを用いたハンガー装置を提供することを目的とする。
【０００８】
また、本発明は、ハンガー部材に対して更なるハンガー部材を吊り下げ、より多くの小物等で構成された吊り下げ物を吊り下げることができる吊り下げ具及びこれを用いたハンガー装置を提供することを目的とする。
【課題を解決するための手段】
【０００９】
本発明に係る吊り下げ具は、本体部材と、上記本体部材の長手方向の相対する端部に、先端部が近接離間するように上記本体部材に回動可能に取り付けられる一対の回動部材と、上記回動部材のそれぞれを、上記回動部材の先端部が上記本体部材の端部に近接するように付勢する付勢部材とを備える。上記一対の回動部材は、上記先端部が上記本体部材の端部に上記付勢部材により回動付勢されることによって吊り下げ物を挟み込む。
【００１０】
また、本発明に係るハンガー装置は、上記吊り下げ具を用いる装置であって、吊り下げ物を吊り下げる吊り下げ部が設けられると共に、周辺に連結部が設けられた板状の複数のハンガー部材と、複数の上述した吊り下げ具とを備える。そして、上記吊り下げ具の一方の端部は、一方の回動部材の先端部が上記本体部材の端部に上記付勢部材により回動付勢されることによって、上側のハンガー部材の下辺に設けられた連結部を挟み込み、上記吊り下げ具の他方の端部は、他方の回動部材の先端部が上記本体部材の端部に上記付勢部材により回動付勢されることによって、下側の上記ハンガー部材の上辺に設けられた連結部を挟み込む。
【００１１】
更に、本発明に係るハンガー装置は、上記吊り下げ具を用いる装置であって、径の異なる複数のリング部材と、複数の上述した吊り下げ具とを備える。そして、上記吊り下げ具は、一方の端部が一方の回動部材の先端部が上記本体部材の端部に上記付勢部材により回動付勢されることによって上側のリング部材を挟み込み、他方の端部が他方の回動部材の先端部が上記本体部材の端部に上記付勢部材により回動付勢されることによって下側のリング部材を挟み込むことによって上記リング部材同士を連結する。上記複数のリング部材は、上側から下側に向かって径が小さくなるように上記吊り下げ具によって連結される。最も上側の最大径のリング部材には、ハンガー部が設けられ、物干し場、クロゼット、タンス等に設けられた吊り下げ棒等に吊り下げることができる。各リング部材には、上記複数の吊り下げ具が、一方の端部を、一方の回動部材の先端部が上記本体部材の端部に上記付勢部材により回動付勢されることによって挟み込まれており、他方の端部に吊り下げ物を挟み込むことができるようにされている。
【発明の効果】
【００１２】
本発明に係る吊り下げ具によれば、一の本体部材に対して２つの回動部材を設けることによって構成されていることから、部品点数が削減され組み立てが容易となると共に、吊り下げ物の吊り下げ作業を楽に行うことができる。
【００１３】
また、本発明に係るハンガー装置では、板状のハンガー部材を上記吊り下げ具で連結することができ、より多くのネクタイ、ハンカチ、ベルトといった小物等の吊り下げ物を吊り下げることができる。
【００１４】
更に、本発明に係るハンガー装置によれば、最上段から最下段に向かってリング部材の径を小さくし、リング部材間の連結を上記吊り下げ具で行うことができることから、より多くの吊り下げ物を吊り下げることができる。
【発明を実施するための最良の形態】
【００１５】
以下、本発明を適用した吊り下げ具について、図面を参照して説明する。
【００１６】
図１に示すように、本発明を適用した吊り下げ具１は、略矩形の本体部材２と、この本体部材２の各端部に設けられる回動部材３，４とを備え、付勢部材５，６によって回動部材３，４の先端部が本体部材２の各端部に近接するように付勢され、各端部に挟み部７，８が設けられてなる。
【００１７】
本体部材２は、モールド成型により略矩形に形成されてなり、相対する先端部に、挟み部７，８を構成する凹部７ａ，８ａが形成されている。回動部材３，４は、本体部材２と略同じ幅で本体部材２より短く形成され、一方の先端部に、本体部材２の凹部７ａ，８ａと対をなし挟み部７，８を構成する凹部７ｂ，８ｂが設けられている。また、回動部材３，４の凹部７ｂ，８ｂと反対側は、挟み部７，８を開く際のユーザが押圧する押圧部３ａ，４ａとなる。
【００１８】
回動部材３，４は、回動支点部９，１０によって、本体部材２に対して回動可能に取り付けられている。回動支点部９，１０は、具体的に、本体部材２の中程に設けられた軸孔に回動部材３，４の中程に設けられた支軸９ａ，１０ａを係合させることによって構成されている。
【００１９】
本体部材２と回動部材３，４の内側には、捻りコイルバネ等でなる付勢部材５，６が配設される。付勢部材５，６は、一端部５ａ，６ａが本体部材２の内面に係止され、他端部５ｂ，６ｂが回動部材３，４の内面に係止されることによって、回動部材３，４の先端部を体部材２の端部に近接する図１中矢印Ａ方向に付勢する。挟み部７，８は、本体部材２の各端部に対して回動部材３，４の先端部が近接されたとき、本体部材２の凹部７ａ，８ａと連続する先端面と回動部材３，４の凹部７ｂ，８ｂと連続する先端面とで突き合わせ部１１，１２を構成すると共に、この突き合わせ部１１，１２の内側に連続して略円形の挿通孔１３，１４を形成する。
【００２０】
突き合わせ部１１，１２を構成する本体部材２の凹部７ａ，８ａと連続する先端面及び回動部材３，４の凹部７ｂ，８ｂと連続する先端面には、マグネット１１ａ，１１ｂ，１２ａ，１２ｂが設けられている。マグネット１１ａ，１１ｂ，１２ａ，１２ｂは、例えばシート状であり、接着剤等によって本体部材２の凹部７ａ，８ａと連続する先端面及び回動部材３，４の凹部７ｂ，８ｂと連続する先端面に貼り合わされている。なお、マグネット１１ａ，１１ｂ，１２ａ，１２ｂは、本体部２の端部及び回動部材３，４の先端部に内蔵するようにしても良い。マグネット１１ａ，１１ｂ，１２ａ，１２ｂは、本体部２の端部と回動部材３，４の先端部とを磁気吸引することによって、付勢部材５，６により付与される付勢力を補助し、挟み部７，８における挟み力をより強くすることができる。また、吊り下げ物が磁気吸引可能であるときには、マグネット１１ａ，１１ｂ，１２ａ，１２ｂによって、吊り下げ物が挟み部７，８の方向に磁気吸引されることになり、吊り下げ物の吊り下げ作業をより簡単に行うことができる。
【００２１】
なお、マグネットは、本体部材２の凹部７ａ，８ａと連続する先端面、回動部材３，４の凹部７ｂ，８ｂと連続する先端面の何れか一方に設けるようにしても良い。この場合、他方の面には、マグネットにより磁気吸引される金属板等の板材を貼り合わせれば、同様な効果を得ることができる。また、この他方の面に磁気吸引可能な板材を設けない場合であっても、一方にマグネットを設けることによって、吊り下げ物を磁気吸引することができる。
【００２２】
また、突き合わせ部１１，１２を構成する本体部材２の凹部７ａ，８ａと連続する先端面及び回動部材３，４の凹部７ｂ，８ｂと連続する先端面は、線接触ではなく、面接触で吊り下げ物を挟み込むことができるように形成されている。例えば、互いに突き合わされる面は、幅寸法と幅方向と直交する長さ方向の寸法が略同じ程度となるようにして、広い面積を有するように構成され、全体形状が略矩形、略半円形等をなすように形成されている。これら互いに突き合わされる少なくとも一方の面には、細かな凹凸を設け、吊り下げ物を落下しにくくしても良い。挟み部７，８は、面接触で吊り下げ物を挟み込むことができるようにすることで、例えばネクタイ、ハンカチ、ベルト等の布をつり下げたときにも、吊り下げ物に挟み込んだ跡が残らないようにすることができる。
【００２３】
以上のような吊り下げ具１は、回動部材３，４の押圧部３ａ，４ａを押圧することによって、付勢部材５，６の付勢力に抗して回動部材３，４を回動支点部９，１０を中心に図１中反矢印Ａ方向に回動させ、挟み部７，８を開くことができる。回動部材３，４は、押圧部３ａ，４ａからユーザが手を離すことによって、付勢部材５，６の付勢力によって回動支点部９，１０を中心に図１中矢印Ａ方向に回動し、挟み部７，８を閉じることができる。
【００２４】
この吊り下げ具１は、本体部材２に対して２つの回動部材３，４が取り付けられてなるものであるから、部品点数の削減を図り、容易に組み立てることができる。また、この吊り下げ具１は、上述した特許文献１のように、一方の挟み部７でハンガー部材に吊り下げられた靴下、ハンカチ等の小物の先端部を挟み、他方の挟み部８で更なる小物の洗濯物を吊り下げることができる。靴下、ハンカチ等は、挟み部７，８で面接触により挟み込まれることから、挟み込み跡が残ることを防止することができる。また、一方の挟み部７と他方の挟み部８は、２つの回動部材３，４が一の本体部材２に設けられていることで、常に位置が決まっており、従って、小物を挟む作業がより簡単になる。また、吊り下げ具１は、全体が撓み変形するものでは無いことから、収納ケースに複数収納した際にも、互いに絡まり合うことを防止することができ、収納ケースから容易に取り出すことができる。
【００２５】
以上のように構成された吊り下げ具１は、ネクタイ、ハンカチ、ネクタイ、ベルト等を吊り下げるハンガー部材に対し更にハンガー部材を吊り下げる部材として用いることができる。
【００２６】
すなわち、図２に示すように、本発明を適用したハンガー装置２０は、複数のハンガー部材２１ａ，２１ｂが上述した吊り下げ具１によって連結されてなる。なお、ハンガー部材２１ａ，２１ｂは、同様な構成を有するため、上下を区別する場合を除き、以下単にハンガー部材２１とも言う。
【００２７】
このハンガー部材２１は、合板等で形成された略矩形の板体２２により形成されており、板体２２の一方の主面には、ネクタイ、ハンカチ、ネクタイ、ベルト等の小物２３を吊り下げるための吊り下げ部２４が設けられている。この吊り下げ部２４は、例えば金属線材を略コ字状に形成し、両端部を板体２２に固定して構成されている。なお、上側のハンガー部材２１ａでは、吊り下げ部２４が１つ設けられ、下側のハンガー部材２１ｂでは、吊り下げ部２４が２つ互いに平行となるように設けられているが、ハンガー部材２１に設けられる吊り下げ部２４の数は、これに限定されるものではなく、更に、吊り下げ部２４の形状や吊り下げ部２４を板体２２に設ける位置もこれに限定されるものではない。
【００２８】
板体２２の周囲には、吊り下げ具１が連結される連結部２５が設けられてなる。この連結部２５は、上側に位置するハンガー部材２１ａでは少なくとも下辺に、確実に下側のハンガー部材２１ｂを吊り下げることができるように一対設けられている。
【００２９】
この連結部２５は、図３に示すように、下辺の対称位置に設けられた凹部２６と、この凹部２６の開口端側に設けられた被挟み込み部２７とからなる。凹部２６は、幅Ｗ１が吊り下げ具１の挟み部７，８の幅Ｗ２よりやや広くなるように形成されており、吊り下げ具１が取り付けられたとき、吊り下げ具１が凹部２６内を移動しないように形成されている。被挟み込み部２７は、線状部材が凹部２６の開口端を横断するように設けられている。被挟み込み部２７は、吊り下げ具１が取り付けられたとき、挟み部７，８の挿通孔１４に挿通される。したがって、吊り下げ具１によって連結されるハンガー部材２１ａ，２１ｂは、被挟み込み部２７を中心に回動自在である。また、被挟み込み部２７が、金属線材といった磁気吸引可能なもので形成されているときには、突き合わせ部１１，１２の挟み部７，８のマグネット１１ａ，１１ｂ，１２ａ，１２ｂによって被挟み込み部２７が磁気吸引されることになり、これにより、吊り下げ具１ををより簡単に連結部２５に取り付けることができる。
【００３０】
図２に示すように、上側に位置するハンガー部材２１ａに設けられた連結部２５に対応して、下側に位置するハンガー部材２１ｂでは、連結部２５が上辺に２つ設けられる。そして、上側のハンガー部材２１ａと下側のハンガー部材２１ｂの相対する連結部２５は、吊り下げ具１により連結される。すなわち、吊り下げ具１の一方の挟み部７が上側のハンガー部材２１ａの連結部２５に挟み込まれ、他方の挟み部８が下側のハンガー部材２１ｂの連結部２５に挟み込まれる。なお、各辺に設けられる連結部２５の数は、２つに限定されるものでは無い。
【００３１】
以上のように、２つのハンガー部材２１ａ，２１ｂが吊り下げ具１によって連結されたハンガー装置２０では、上側のハンガー部材２１ａの吊り下げ部２４に小物２３を吊り下げることができると共に、下側のハンガー部材２１ｂの吊り下げ部２４にも小物２３を吊り下げることができ、これにより、より多くの小物２３を吊り下げることができる。また、ハンガー装置２０では、下側のハンガー部材２１ｂの下辺に対称に設けられた連結部２５を介して更に下側に新たなハンガー部材２１を吊り下げ具１を用いて連結することによって、更に全体を縦長にし、より多くの小物２３を吊り下げることができる。
【００３２】
また、ハンガー装置２０はは、吊り下げ具１によって連結されていることから、一方のハンガー部材２１ａに対して他方のハンガー部材２１ｂが回動自在であり、従って、設置場所等の空間形状に応じて連結部分で自由に曲がることができる。
【００３３】
更に、２つのハンガー部材２１ａ，２１ｂには、更に、短辺にも対称に連結部２５が設けられている。したがって、ハンガー装置２０では、２つのハンガー部材２１ａ，２１ｂを短辺の連結部２５同士を吊り下げ具１で連結することによって、更に、全体を横長にして、より多くのハンガー部材２１を連結し、より多くの小物２３を吊り下げることができる。
【００３４】
なお、図２に示すように、下側のハンガー部材２１ｂの下辺に設けられた連結部２５には、吊り下げ具１を用いて靴下等の小物２３を吊り下げるようにしても良い。すなわち、吊り下げ具１の一方の挟み部７を連結部２５に連結し、他方の挟み部８で小物２３を挟むようにする。これにより、より多くの小物２３を吊り下げることができる。このとき、吊り下げ具１の挟み部８は、面接触によって小物２３を挟み込むことから、小物２３に挟み込み跡が残ることを防止することができる。
【００３５】
更に、上述した吊り下げ具１は、図４に示すようなハンガー装置３０にも用いることができる。このハンガー装置３０は、径の異なる第１乃至第３のリング部材３１ａ〜３１ｃと、第１乃至第３のリング部材３１ａ〜３１ｃを連結する複数の吊り下げ具１とを有する。
【００３６】
第１乃至第３のリング部材３１ａ〜３１ｃは、径を異にし、第１のリング部材３１ａが最大径で第３のリング部材３１ｃが最小径で、第２のリング部材３１ｂが中間の径となっている。最大径の第１のリング部材３１ａには、物干し場、クロゼット、タンス等に設けられた吊り下げ棒等に引っかけるためのハンガー部３２が設けられている。
【００３７】
このハンガー部３２は、略Ｃ字状に湾曲して形成されたフック３２ａと、このフック３２ａの一端が取り付けられる略球状の連結体３２ｂとを有する。この連結体３２ｂには、最大外径部分の周囲に複数の接続リング３２ｃが設けられている。この接続リング３２ｃと最大径の第１のリング部材３１ａとの間は、２つの吊り下げ具１と１つの連結リング３２ｄとによって連結されている。すなわち、一の吊り下げ具１は、一方の挟み部７で連結体３２ｂに取り付けられている接続リング３２ｃを挟み込み、他方の挟み部８で連結リング３２ｄを挟み込んでいる。また、他方の吊り下げ具１は、一方の挟み部７で連結リング３２ｄを挟み込み、他方の挟み部８で最大径の第１のリング部材３１ａを挟み込んでいる。
【００３８】
なお、連結体３２ｂと第１のリング部材３１ａとの距離は、更なる吊り下げ具１と連結リング３２を用いて長くすることができる。また、最大径の第１のリング部材３１ａには、連結体３２ｂと連結するための吊り下げ具１の挟み部８の位置を規制する規制部を設けても良い。この規制部は、例えば挟み部８の幅と略同じ幅の間隙を有する一対の突起によって構成することができる。
【００３９】
最大径の第１のリング部材３１ａと中間に位置する第２のリング部材３１ｂとも、吊り下げ具１によって連結されている。すなわち、第１のリング部材３１ａと第２のリング部材３１ｂとの間は、吊り下げ具１の一方の挟み部７で第１のリング部材３１ａを挟み込み、他方の挟み部８で第２のリング部材３１ｂを挟み込む。なお、第１のリング部材３１ａと第２のリング部材３１ｂとの距離は、更なる吊り下げ具１と連結リング３２を用いて長くすることができる。また、最大径の第１のリング部材３１ａと中間の第２のリング部材３１ｂの挟み部７，８の挟み込み位置には、吊り下げ具１の挟み部７，８の位置を規制する規制部を設けても良い。この規制部は、例えば挟み部７，８の幅と略同じ幅の間隙を有する一対の突起によって構成することができる。
【００４０】
中間の第２のリング部材３１ｂと最小径の第３のリング部材２１ｃとの間も、吊り下げ具１によって連結されている。すなわち、第２のリング部材３１ｂと第３のリング部材３１ｃとの間は、吊り下げ具１の一方の挟み部７で第２のリング部材３１ｂを挟み込み、他方の挟み部８で第３のリング部材３１ｃを挟み込む。なお、第２のリング部材３１ｂと第３のリング部材３１ｃとの距離は、更なる吊り下げ具１と連結リング３２を用いて長くすることができる。また、中間の第２のリング部材３１ｂと最小径の第３のリング部材３１ｃの挟み部７，８の挟み込み位置には、吊り下げ具１の挟み部７，８の位置を規制する規制部を設けても良い。この規制部は、例えば挟み部７，８の幅と略同じ幅の間隙を有する一対の突起によって構成することができる。
【００４１】
ここで、第１乃至第３のリング部材３１ａ〜３１ｃや連結リング３２ｄが金属線材といった磁気吸引可能なもので形成されているときには、吊り下げ具１の挟み部７，８のマグネット１１ａ，１１ｂ，１２ａ，１２ｂによって第１乃至第３のリング部材３１ａ〜３１ｃや連結リング３２ｄが磁気吸引されることになり、これにより、吊り下げ具１ををより簡単に取り付けることができる。
【００４２】
径の異なる第１乃至第３のリング部材３１ａ〜３１ｃには、更に、吊り下げ具１を用いて小物３３を吊り下げることができる。すなわち、小物３３を吊り下げるための吊り下げ具１は、一方の挟み部７で第１乃至第３のリング部材３１ａ〜３１ｃを挟み込み、他方の挟み部８で小物３３を挟み込む。このとき、吊り下げ具１の挟み部８は、面接触によって小物３３を挟み込むことから、小物３３に挟み込み跡が残ることを防止することができる。
【００４３】
ここで、ハンガー装置３０では、最下段に位置する最小径の第３のリング部材３１ｃに吊り下げ具１を用いて小物３３を吊り下げ、次いで、中段に位置する第２のリング部材３１ｂに吊り下げ具１を用いて小物３３を吊り下げ、最後に最上段の第１のリング部材３１ａに小物３３を吊り下げるようにする。このように、ハンガー装置３０では、最内周の最下段から最外周の最上段に向かって順に小物３３を吊り下げることで、円滑に多くの小物３３を吊り下げることができる。すなわち、仮に、最上段の第１のリング部材３１ａを最小径にし、最下段の第３のリング部材３１ｃを最大径としたときには、最上段の最小径の第１のリング部材３１ａには、外周下側の他の第２及び第３のリング部材３１ｂ，３１ｃが邪魔になって小物３３を円滑に吊り下げることができなくなり、結果として、最下段の最大径の第３のリング部材３１ｃしか小物３３を吊り下げることができなくなるが、このハンガー装置３０では、最大径の第１のリング部材３１ａが最上段で最小径の第３のリング部材３１ｃが最下段に位置されることで、下側の第３のリング部材３１ｃから順に上側に向かって小物３３を吊り下げ、全ての第１乃至第３のリング部材３１ａ〜３１ｃに小物３３を吊り下げることができる。また、このハンガー装置３０では、吊り下げ具１をハンガー部３２との連結、第１乃至第３のリング部材３１ａ〜３１ｃの連結、更に小物３３を吊り下げる際に用いることができ、吊り下げ具１を様々な用途に使用することができる。なお、ハンガー装置３０においても、第１乃至第３のリング部材３１ａ〜３１ｃに吊り下げられた小物３３に更に吊り下げ具１を用いて小物３３を吊り下げるようにしても良い。
【００４４】
なお、このハンガー装置３０において、上から順に径が小さくなるようにリング部材を吊り下げ具１を用いて吊り下げるようにすれば、リング部材の数は特に限定されるものでは無い。また、リング部材間を連結する吊り下げ具１の数は、１つに限定されるものでは無く、リング部材間の間隔を大きくしたいときには、連結リング３２ｄを用いて複数の吊り下げ具１を連結し、これを用いてリング部材を連結すれば良い。
【図面の簡単な説明】
【００４５】
【図１】本発明を適用した吊り下げ具の斜視図である。
【図２】本発明を適用したハンガー装置の斜視図である。
【図３】図２に示したハンガー装置に用いたハンガー部材の連結部分の要部斜視図である。
【図４】ハンガー装置の変形例を示す斜視図である。
【符号の説明】
【００４６】
１  吊り下げ具、２  本体部材、３，４  回動部材、３ａ，４ａ  押圧部、５，６  付勢部材、７，８  挟み部、９，１０  回動支点部、１１，１２  突き合わせ部、１１ａ，１１ｂ，１２ａ，１２ｂ  マグネット、１３，１４  挿通孔、２０  ハンガー装置、２１ａ，２１ｂ  ハンガー部材、２２  板体、２３  洗濯物、２４  吊り下げ部、２５  連結部、２６  凹部、２７  被挟み込み部、３０  ハンガー装置、３１ａ〜３１ｃ  リング部材、３２  ハンガー部、３２ａ  フック、３２ｂ  連結体、３２ｃ  接続リング、３２ｄ  連結リング、３３  小物
【図１】
2006115998.tif 000003
【図２】
2006115998.tif 000004
【図３】
2006115998.tif 000005
【図４】
2006115998.tif 000006